(57)【要約】【課題】  搬送距離を従来に比して短くでき、従って、例えば密着書簡の製造装置の設置スペースを十分に小さくできる、交差搬送手段を提供すること。【解決手段】  第１方向Ａに向かっての両側縁１５、１６が第１方向Ａと平行である状態で塗布装置２から第１方向Ａに送り出された、長方形の紙片１を、塗布装置２の送り出し位置より低い位置でローラ３１上に載せ、並設された多数のローラ３１上に載せながら、且つ、第１方向Ａと交差する第２方向Ｂに直線状に延びた整列ガイド３２に案内させながら、第２方向Ｂへ搬送し、紙片１の第２方向Ｂに向かっての両側縁（前縁１１及び後縁１２）が第２方向Ｂと平行である状態で折畳装置４へ送り出す、交差搬送手段３において、第１方向Ａと第２方向Ｂとの交差角度が、鋭角に設定されていることを特徴としている。【選択図】図１
2005089078.tif 000002
【特許請求の範囲】
【請求項１】
第１方向に向かっての両側縁が第１方向と平行である状態で前段装置から第１方向に送り出された、長方形の紙片を、前段装置の送り出し位置より低い位置で搬送コンベア上に載せ、第１方向と交差する第２方向に直線状に延びた整列ガイドに案内させながら、第２方向へ搬送し、紙片の第２方向に向かっての両側縁が第２方向と平行である状態で次段装置へ送り出す、交差搬送手段において、
第１方向と第２方向との交差角度が、鋭角に設定されていることを特徴とする交差搬送手段。
【請求項２】
上記交差角度が、任意に設定可能である、請求項１記載の交差搬送手段。
【発明の詳細な説明】
【技術分野】
【０００１】
本発明は、前段装置から第１方向に送り出された紙片を、第１方向と交差する第２方向へ搬送して、次段装置へ送り出す、交差搬送手段に関するものである。
【背景技術】
【０００２】
図４は従来一般の交差搬送手段を備えた密着書簡の製造装置を示す概略平面図である。密着書簡とは、「圧着はがき」、「重合紙片」とも称するが、主としてプライバシー保護の観点から、紙片を折畳んで、受取人の情報が記載された紙片の一面を剥離可能に貼り合わせてなるものである。
【０００３】
密着書簡の製造装置１０は、例えば、特許文献１、２に示すように、一般に、長方形の紙片１の一面に接着剤を塗布する塗布装置２と、塗布装置２を経た紙片１を搬送する第１交差搬送手段３と、搬送されてきた紙片１を折畳む折畳装置４と、折畳装置４を経た紙片１を搬送する第２交差搬送手段５と、搬送されてきた紙片１を圧着する圧着装置６と、圧着により出来上がった密着書簡を受ける受台７と、を備えている。圧着装置６は、圧着ローラ６１を有している。
【０００４】
第１交差搬送手段３は、多数のローラ３１と第２方向Ｂに直線状に延びた整列ガイド３２とを有しており、紙片１を、塗布装置２の送り出し位置より低い位置でローラ３１上に載せ、並設された多数のローラ３１上に載せながら、且つ、整列ガイド３２に案内させながら、第２方向Ｂへ搬送し、紙片１の第２方向Ｂに向かっての両側縁（前縁１１及び後縁１２）が第２方向Ｂと平行である状態で折畳装置４へ送り出すようになっている。ローラ３１は、紙片１を整列ガイド３２側へ寄せるように第２方向Ｂに向かって整列ガイド３２側へ傾斜している。第２交差搬送手段５も、多数のローラ５１と第２方向Ｄに直線状に延びた整列ガイド５２とを有しており、折畳まれた紙片１を、折畳装置４の送り出し位置より低い位置でローラ５１上に載せ、並設された多数のローラ５１上に載せながら、且つ、整列ガイド５２に案内させながら、第２方向Ｄへ搬送し、紙片１の第２方向Ｄに向かっての両側縁（前縁１３及び後縁１４）が第２方向Ｄと平行である状態で圧着装置６へ送り出すようになっている。ローラ５１も、紙片１を整列ガイド５２側へ寄せるように第２方向Ｄに向かって整列ガイド５２側へ傾斜している。
【０００５】
そして、従来では、設置スペースなどの観点から、第１交差搬送手段３は、第２方向Ｂが第１方向Ａに対して直交するよう設けられており、第２交差搬送手段５は、第２方向Ｄが第１方向Ｃに対して直交するよう設けられている。
【特許文献１】特許第３２３６６３２号公報
【特許文献２】特公平３−３８９７４号公報
【発明の開示】
【発明が解決しようとする課題】
【０００６】
ところで、第１交差搬送手段３においては、塗布装置２から送り出されてきた紙片１を、塗布装置２の送り出し位置より低い位置でローラ３１上に載せるので、図４のＶ−Ｖ断面に相当する図である図５に示すように、紙片１の第１方向Ａに向かっての前縁１１が後縁１２よりも先にローラ３１に接触して搬送されようとする。なお、塗布装置２の出口では、図５に示すように、紙片１は上下の送出ローラ２１に挟まれた状態で送り出されるようになっている。よって、塗布装置２の送り出し位置は、図５中のＨであり、ローラ３１の載置面３１１は塗布装置２の送り出し位置Ｈより低い。
【０００７】
このため、第１方向Ａに向かっての両側縁１５、１６が第１方向Ａと平行である状態で塗布装置２から送り出された紙片１は、ローラ３１上に載った直後には、図４に示すように、平面視で傾いた状態となってしまう。それ故、傾いた紙片１を、第２方向Ｂに向かっての両側縁（前縁１１及び後縁１２）が第２方向Ｂと平行である状態となるまで整列させるために、従来では、第１交差搬送手段３の搬送距離Ｌ１が長くなるという問題があった。第２交差搬送手段５においても、同様の理由により、搬送距離Ｌ２が長くなるという問題があった。よって、従来の密着書簡の製造装置１０は、第１交差搬送手段３及び第２交差搬送手段５を用いてはいるが、設置スペースを十分に小さくできてはいなかった。
【０００８】
本発明は、搬送距離を従来に比して短くでき、従って、例えば密着書簡の製造装置の設置スペースを十分に小さくできる、交差搬送手段を提供することを目的とする。
【課題を解決するための手段】
【０００９】
請求項１記載の発明は、第１方向に向かっての両側縁が第１方向と平行である状態で前段装置から第１方向に送り出された、長方形の紙片を、前段装置の送り出し位置より低い位置で搬送コンベア上に載せ、第１方向と交差する第２方向に直線状に延びた整列ガイドに案内させながら、第２方向へ搬送し、紙片の第２方向に向かっての両側縁が第２方向と平行である状態で次段装置へ送り出す、交差搬送手段において、第１方向と第２方向との交差角度が、鋭角に設定されていることを特徴としている。
【００１０】
請求項２記載の発明は、請求項１記載の発明において、上記交差角度が、任意に設定可能であるものである。
【発明の効果】
【００１１】
請求項１記載の発明によれば、前段装置から送り出されてローラ上に載った直後の、平面視で傾いた紙片の、第１方向に向かっての前縁が、早い内に整列ガイドに全部沿うようになるので、紙片の両側縁が第２方向と平行である状態となるまで整列させるのに必要な距離を短くできる。従って、交差搬送手段の設置スペースを小さくできる。
【００１２】
請求項２記載の発明によれば、搬送速度や紙片の大きさなどが種々変更されても、それらに合わせて交差角度を設定できるので、交差搬送手段の設置スペースをできるだけ小さくすることができる。
【発明を実施するための最良の形態】
【００１３】
図１は本発明の交差搬送手段を備えた密着書簡の製造装置を示す概略平面図である。図１において、図４と同じ符号は同一又は相当する物を示している。即ち、この製造装置１０も、長方形の紙片１の一面に接着剤を塗布する塗布装置２と、塗布装置２を経た紙片１を搬送する第１交差搬送手段３と、搬送されてきた紙片１を折畳む折畳装置４と、折畳装置４を経た紙片１を搬送する第２交差搬送手段５と、搬送されてきた紙片１を圧着する圧着装置６と、圧着により出来上がった密着書簡を受ける受台７と、を備えている。
【００１４】
第１交差搬送手段３は、多数のローラ３１と第２方向Ｂに直線状に延びた整列ガイド３２とを有しており、紙片１を、塗布装置２の送り出し位置より低い位置でローラ３１上に載せ、並設された多数のローラ３１上に載せながら、且つ、整列ガイド３２に案内させながら、第２方向Ｂへ搬送し、紙片１の第２方向Ｂに向かっての両側縁（前縁１１及び後縁１２）が第２方向Ｂと平行である状態で折畳装置４へ送り出すようになっている。なお、ローラ３１は、整列ガイド３２に対して直角に設けられている。第２交差搬送手段５も、多数のローラ５１と第２方向Ｄに直線状に延びた整列ガイド５２とを有しており、紙片１を、折畳装置４の送り出し位置より低い位置でローラ５１上に載せ、並設された多数のローラ５１上に載せながら、且つ、整列ガイド５２に案内させながら、第２方向Ｄへ搬送し、紙片１の第２方向Ｄに向かっての両側縁（前縁１３及び後縁１４）が第２方向Ｄと平行である状態で圧着装置６へ送り出すようになっている。なお、ローラ５１も、整列ガイド５２に対して直角に設けられている。
【００１５】
そして、第１交差搬送手段３及び第２交差搬送手段５は、本発明の構成を備えている。即ち、図１に示すように、第１交差搬送手段３においては、第２方向Ｂに延びた整列ガイド３２を含む第１交差搬送手段３全体が、塗布装置２の送り出し方向である第１方向Ａと直交する方向Ｅに対して、角度αだけ塗布装置２側に傾いて設けられている。即ち、第１方向Ａと第２方向Ｂとの交差角度は鋭角となっている。第２交差搬送手段５においては、第２方向Ｄに延びた整列ガイド５２を含む第２交差搬送手段５全体が、折畳装置４の送り出し方向である第１方向Ｃと直交する方向Ｆに対して、角度βだけ折畳装置４側に傾いて設けられている。即ち、第１方向Ｃと第２方向Ｄとの交差角度は鋭角となっている。
【００１６】
第１交差搬送手段３の角度αは、図示しない支持機構により、任意に設定可能となっている。支持機構としては、例えば、図１中のＸ位置にて回転軸で支持する機構を採用できる。第２交差搬送手段５の角度βも、同様に、任意に設定可能となっている。
【００１７】
そして、ここでは、角度αは、図１に示すように、塗布装置２から送り出されてローラ３１上に載った直後の、紙片１の第１方向Ａに向かっての前縁１１の全部に、整列ガイド３２が沿うように、設定されている。また、角度βも、図１に示すように、折畳装置４から送り出されてローラ５１上に載った直後の、折畳まれた紙片１の第１方向Ｃに向かっての前縁１３の全部に、整列ガイド５２が沿うように、設定されている。
【００１８】
従って、上記構成の第１交差搬送手段３においては、第１方向Ａに向かっての両側縁１５、１６が第１方向Ａと平行である状態で塗布装置２から送り出された紙片１が、ローラ３１上に載った直後に平面視で傾いた状態となってしまっても、整列ガイド３２が、上述したように上記角度αだけ傾いていることによって紙片１の上記傾きに沿って延びているので、紙片１は、ローラ３１上に載ると直ちに、第２方向Ｂに向かっての両側縁（前縁１１及び後縁１２）が、ローラ３１と整列ガイド３２とによって、第２方向Ｂと平行である状態となる。よって、上記構成の第１交差搬送手段３によれば、ローラ３１上に載った紙片１を第２方向Ｂに向かっての両側縁（前縁１１及び後縁１２）が第２方向Ｂと平行となるまでの整列必要長さは極めて短くなり、従って、図４の従来例における整列のために必要な距離Ｌ１を、それより短い距離Ｌ３とすることができる。第２交差搬送手段５によっても、同様に、図４の従来例における整列のために必要な距離Ｌ２を、それより短い距離Ｌ４とすることができる。
【００１９】
従って、上記構成の第１交差搬送手段３及び第２交差搬送手段５を備えた密着書簡の製造装置１０によれば、装置全体の設置スペースを、図４の従来例に比して、かなり小さくできる。
【００２０】
なお、本発明の第１交差搬送手段３においては、次のような変形構造を採用してもよく、それによっても、上記実施形態と同様の効果を発揮できる。第２交差搬送手段５においても同様である。
（１）図１の実施形態では、ローラ３１が整列ガイド３２に対して直角に設けられているが、図２に示すように、ローラ３１を、紙片１を整列ガイド３２側へ寄せるように第２方向Ｂに向かって整列ガイド３２側へ傾斜させてもよい。
【００２１】
（２）図１の実施形態では、整列ガイド３２を含む第１交差搬送手段３全体を、第１方向Ａと直交する方向Ｅに対して、塗布装置２側に任意の角度を設定して傾けて設けているが、図３に示すように、整列ガイド３２のみをそのように傾けて設けてもよい。但し、この場合は、折畳装置４の折畳用ローラ（図示せず）を第２方向Ｂに直交させて配置する。
【００２２】
（３）角度αを、図１の実施形態の場合より小さく設定してもよい。何故なら、たとえ角度αが小さくても、０でない限りは、ローラ３１上に載った直後の傾いた紙片１の前縁１１が、図４の従来例の場合に比して、早い内に整列ガイド３２に全部沿うようになるので、整列に必要な距離はＬ１より短くなるからである。
【００２３】
（４）図１の実施形態では、第１交差搬送手段３を塗布装置２と折畳装置４との間に設けているが、設ける箇所はこれに限るものではなく、紙片の搬送方向を直角近くまで変える必要のある箇所であれば、任意に設けることができる。
【００２４】
（５）図１の実施形態では、多段のローラ３１によって紙片１を搬送しているが、ベルトによって搬送してもよい。
【産業上の利用可能性】
【００２５】
本発明の交差搬送手段は、設置スペースを小さくすることに大きく貢献できるので、産業上の利用価値が大なるものである。
【図面の簡単な説明】
【００２６】
【図１】本発明の交差搬送手段を備えた密着書簡の製造装置を示す概略平面図である。
【図２】本発明の交差搬送手段の別の実施形態を示す概略平面図である。
【図３】本発明の交差搬送手段の更に別の実施形態を示す概略平面図である。
【図４】従来一般の交差搬送手段を備えた密着書簡の製造装置を示す概略平面図である。
【図５】図４のＶ−Ｖ断面に相当する図である。
【符号の説明】
【００２７】
１  紙片
１１、１３  前縁
１２、１４  後縁
１５、１６、１７、１８  側縁
２  塗布装置
３  第１交差搬送手段
３１、５１  ローラ
３２、５２  整列ガイド
４  折畳装置
５  第２交差搬送手段
６  圧着手段
【図１】
2005089078.tif 000003
【図２】
2005089078.tif 000004
【図３】
2005089078.tif 000005
【図４】
2005089078.tif 000006
【図５】
2005089078.tif 000007